(57)【特許請求の範囲】
【請求項１】
印字するために走査されるキャリッジが、複数個のインクヘッドで構成されるインクヘッド部を有するインクジェット方式の画像形成装置であって、
上記インクヘッド部は黒のインクヘッドとカラーのインクヘッドとを備え、走査方向における両端部に黒のインクヘッドが配置されており、
さらに、上記両端部の黒のインクヘッドはカラーのインクヘッドに対して、走査方向に対する垂直方向に、互いに逆方向にずれた位置に配置されていることを特徴とする画像形成装置。
【請求項２】
上記両端部の黒のインクヘッドが、互いにノズルのピッチの１／２分だけずれた位置に配置されていることを特徴とする請求項１に記載の画像形成装置。
【請求項３】
複数個のインクヘッドで構成されるインクヘッド部を有するキャリッジを走査して印字するインクジェット方式の画像形成方法であって、
上記インクヘッド部に黒のインクヘッドとカラーのインクヘッドとを備えると共に、走査方向における両端部に黒のインクヘッドを配置し、該インクヘッド部を用いて、黒インク、カラーインク、黒インクの順番で、且つ、
上記２つの黒インクをカラーインクに対して、走査方向に対する垂直方向に、互いに逆方向にずらした位置に印字することを特徴とする画像形成方法。
【請求項４】
上記２つの黒インクを、互いにノズルピッチの１／２分だけずらした位置に印字することを特徴とする請求項３に記載の画像形成方法。
【発明の詳細な説明】
【０００１】
【発明の属する技術分野】
本発明は、例えば、カラーインクジェット方式のプリンタなどの、インクジェット方式の画像形成装置、および画像形成方法に関する。
【０００２】
【従来の技術】
インクジェット方式の画像形成装置、例えば、インクジェット方式のプリンタは、その構成が簡単であるため、小型化することが可能であり、かつ、安価に製造することができる。また、インクジェット方式の画像形成装置は、ノズルから液体のインク滴を吐出して、画像を形成する。このとき、インク滴を直接、紙、フィルム、布等の記録材に付着吸収させるため、それ以上の処理を行う必要がなく、カラーインクを用いれば容易にカラー画像を形成することができる。
【０００３】
ところが、インクジェット方式の画像形成装置で画像を形成するためには、インクの記録材への浸透性、および記録材上における乾燥性が重要となってくる。上記のようなインクジェット方式の画像形成装置に使用されるインクには、主に顔料インクと染料インクとがある。顔料インクは染料インクに比べ、乾燥性、浸透性が劣ることが知られている。しかしながら、顔料インクには、染料インクに比べ発色と濃度に優れる利点がある。
【０００４】
インクジェット方式の画像形成装置で画像を形成する際に、例えば、インクジェットプリンタ専用の記録紙を使用すれば、浸透性、乾燥性に劣る黒色の顔料インクを使用して印字しても、混色、にじみなどを生じることなく画像を形成することができる。これは、インクジェットプリンタ専用の記録紙には、付着したインクの吸収、定着を向上させるための処理がなされているからであるが、その分、記録材にかかるコストが増加することになる。記録材にかかるコストを抑えるために、通常にあるようなコピー用紙などを記録材として使用した場合、乾燥性、浸透性に劣るインクを使用して印字すると、隣接して付着したインク滴が互いにつながり、混色、にじみが起こってしまう。特に、カラーのドット領域と黒のドット領域とが隣接する領域では、上記混色、にじみのため、黒のライン、文字等が不鮮明になってしまう問題がある。
【０００５】
このような問題を解決するために、特開平７−１４９０３６号公報および特開平８−１９７８３１号公報では、乾燥性、浸透性に劣る顔料の黒インクを、浸透性に優れるカラーインクに重ねて印字することにより、および、画像領域における黒のドットの密度を下げ、その際に生じる黒インクのドットの隙間の位置にカラーインクでドットを印字することにより、黒インクの乾燥性、浸透性を向上させて、黒インクとカラーインクとの混色、にじみ、こすれ、汚れなどを防止する技術が開示されている。
【０００６】
【発明が解決しようとする課題】
しかしながら、従来のインクヘッドの配置（例えば、図１１に示す黒のインクヘッド（Ｋ）、シアンのインクヘッド（Ｃ）、マゼンタのインクヘッド（Ｍ）、イエローのインクヘッド（Ｙ）または図１２に示すシアンのインクヘッド（Ｃ）、マゼンタのインクヘッド（Ｍ）、イエローのインクヘッド（Ｙ）、黒のインクヘッド（Ｋ）等の、黒のインクヘッドが端にある配置）を有するインクヘッド部を用いて、黒インクとカラーインクとを重ねて印字すると、インクヘッド部の走査方向によって、記録材に印字される黒インクとカラーインクとの順番が異なる。黒インクがカラーインクの上に重なって印字されるか、または、カラーインクが黒インクの上に重なって印字されるかによって、形成される画像の見た目の黒の「黒さ」（発色）に差が生じてしまう。従って、上記従来のインクヘッドの配置を有するインクヘッド部を用いた場合、インクヘッド部の走査方向を双方向にして印字すると、印字される黒の画像は、異なる走査方向において、「黒さ」に差が生じてしまい、画像の品質の低下を生じるという問題が生じてしまう。
【０００７】
一方、上記従来のインクヘッドの配置を有するインクヘッド部を用いても、黒の画像領域における黒のドットの密度を下げ、生じた黒インクのドットの隙間の位置にカラーインクでドットを印字する場合、つまり、黒インクとカラーインクとを隣接して印字する場合においては、上記のような問題はないように思われる。しかしながら、実際には、黒インクおよびカラーインクの両方とも、記録材に浸透して広がるため、インクを重ねて印字する場合と同様に黒インクを先に印字するか後に印字するかによって形成される黒の画像の「黒さ」に差が生じてしまう。従って、この黒のドットの密度を下げ、生じた黒インクのドットの隙間の位置にカラーインクでドットを印字する場合においても、従来のインクヘッドの配置を有するインクヘッド部を用いた場合、インクヘッド部の走査方向を双方向にして印字すると、画像の品質の低下を生じるという問題を生じてしまう。
【０００８】
従って、黒の印字の「黒さ」の差をなくすためには、各走査毎に印字される黒インクとカラーインクとの順番を固定する必要がある。しかし、上記のような従来のインクヘッドの配置のインクヘッド部では、インクの順番を固定するには、走査方向を片方向のみに限定して印字しなければならず、双方向にして印字することができない。そのため、印字する時間を短縮することができない。
【０００９】
また、画像の品質を保ちながら、印字時間を短縮することができる例として、特開平７−１９５７１５号公報および特開平１１−２１６８８２号公報が挙げられる。上記２つの公報には、インクジェット方式の画像形成装置において、ある特定のインクヘッドの構成（図１７の配置など）を取ることによって、走査方向を双方向にして印字しても、印字されるインクの順番を固定することができ、各走査毎に「黒さ」の差などの色の差を生じることなく画像を形成することができることが開示されている。
【００１０】
ところが、上記２つの公報の技術を単純に組み合わせた場合、インクヘッドの数が４つから、６ないし７つとなり、倍程度まで増加してしまうので、その増加分のコストがかかることになる。このため、インクジェット方式の安価な画像形成装置に応用することは難しい。
【００１１】
本発明は、上記従来の問題点に鑑みなされたものであり、その目的は、コストの増加を招くことなく、走査方向を双方向にして印字して印字時間を短縮することができ、かつ、黒の画像における「黒さ」の差を生じることない高品質の画像を形成することができるインクジェット方式の画像形成装置および画像形成方法を提供することにある。
【００１２】
【課題を解決するための手段】
上記の課題を解決するために、本発明のインクジェット方式の画像形成装置は、印字するために走査されるキャリッジが、複数個のインクヘッドで構成されるインクヘッド部を有するインクジェット方式の画像形成装置であって、
上記インクヘッド部は黒のインクヘッドとカラーのインクヘッドとを備え、走査方向における両端部に黒のインクヘッドが配置されており、さらに、上記両端部の黒のインクヘッドはカラーのインクヘッドに対して、走査方向に対する垂直方向に、互いに逆方向にずれた位置に配置されていることを特徴としている。
【００１３】
上記の構成によれば、キャリッジの走査方向を双方向にして印字しても、印字するインクの順番を黒インク、カラーインク、黒インクと一定にすることができる。その結果、走査毎の黒インクが記録材表面において露出している面積、および黒インクとカラーインクとが重なって印字される部分の面積が走査方向に関係なく同じとなり、印字の「黒さ」の差をなくすことができる。また、インクヘッドの数は、片方向にしか走査して印字できない従来の画像形成装置と比べて、上記の構成では、高々１つ増加するだけである。そのため、コスト増は小さく、広い範囲の画像形成装置に応用することができる。つまり、コストをかけることなく、双方向に印字して印字時間を短縮することができ、高品質の画像を形成することができる画像形成装置を提供することができる。
【００１４】
また、各走査において、記録材に、黒インクを、カラーインクに対して、走査方向に対する垂直方向に、互いにずらして印字することができる。そのため、記録材に形成された黒の画像における解像度を向上することができる。従って、高品質でより高解像度の画像を形成することができる画像形成装置を提供することができる。
【００１５】
本発明のインクジェット方式の画像形成装置は、上記構成に加えて、上記両端部の黒のインクヘッドが、互いにノズルのピッチの１／２分だけずれた位置に配置されていることを特徴としている。
【００１６】
上記の構成によれば、各走査において、記録材に、黒インクを、カラーインクに対して、走査方向に対する垂直方向に、いわゆるノズルピッチの２倍の黒インクを印字することができる。そのため、いわゆるノズルピッチの２倍の解像度の黒の画像を記録材に形成することができる画像形成装置を提供することができる。
【００１７】
本発明のインクジェット方式の画像形成方法は、上記の課題を解決するために、複数個のインクヘッドで構成されるインクヘッド部を有するキャリッジを走査して印字するインクジェット方式の画像形成方法であって、上記インクヘッド部に黒のインクヘッドとカラーのインクヘッドとを備えると共に、走査方向における両端部に黒のインクヘッドを配置し、該インクヘッド部を用いて、黒インク、カラーインク、黒インクの順番で、且つ、上記２つの黒インクをカラーインクに対して、走査方向に対する垂直方向に、互いに逆方向にずらした位置に印字することを特徴としている。
【００１８】
上記の構成によれば、キャリッジの走査方向を双方向に印字しても、上記インクの順番で印字するため、記録材に形成された画像において、走査毎の黒インクが記録材表面において露出している面積、および黒インクとカラーインクとが重なって印字される部分の面積が同じになり、印字の「黒さ」の差をなくすことができる。従って、双方向に印字して印字時間を短縮することができ、かつ、高品質の画像を形成することができる。
【００１９】
また、各走査において、記録材に、黒インクをカラーインクに対して、走査方向に対する垂直方向に、互いにずらして印字することができる。そのため、記録材に形成された黒の画像における解像度を向上することができる。
【００２０】
本発明のインクジェット方式の画像形成方法は、上記構成に加えて、上記２つの黒インクを、互いにノズルのピッチの１／２分だけずらした位置に印字することを特徴としている。
【００２１】
上記の構成によれば、各走査において、記録材に、黒インクを、カラーインクに対して、走査方向に対する垂直方向に、いわゆるノズルピッチの２倍の黒インクを印字することができる。そのため、いわゆるノズルピッチの２倍の解像度の黒の画像を記録材に形成することができる。
【００２２】
【発明の実施の形態】
本発明の実施の一形態を図１ないし図１６に基づいて以下に説明する。
【００２３】
図１に示すように、実施の一形態にかかるインクジェット方式の画像形成装置としてのインクジェットプリンタの走査部は、キャリッジ１を備えている。キャリッジ１は、シャフト２およびガイドレール３によって、走査方向がシャフト２の軸方向である走査方向に沿ってスライド自在に支持されている。また、上記キャリッジ１には、各色毎に独立しているインクヘッドである、黒のインクヘッド（Ｋ）、シアンのインクヘッド（Ｃ）、マゼンタのインクヘッド（Ｍ）、イエローのインクヘッド（Ｙ）、黒のインクヘッド（Ｋ）が、キャリッジ１の走査方向と平行にこの順で配置されてインクヘッド部４を構成している。ここで、Ｃ、Ｍ、Ｙの順序は限定されない。このインクヘッド部４において、黒のインクヘッド（Ｋ）は走査方向における両端部に、他のカラーのインクヘッド（Ｃ、Ｍ、Ｙ）を挟むように２つ配置されていることになる。図示していないが、各インクヘッド（Ｋ、Ｃ、Ｍ、Ｙ）は、キャリッジ１の走査方向に対して直交する方向に１列または数列に配置された複数のノズルを有している。また、各インクヘッド（Ｋ、Ｃ、Ｍ、Ｙ）は、インクの色、その色に合わせたノズルの特性以外は同一の構成を有するものである。
【００２４】
また、キャリッジ１には位置検出手段（図示しない）が設けられている。位置検出手段は、キャリッジ１の移動とともに記録材に対する印字位置あるいは走査範囲を検出し、位置信号をコンピュータ等の画像データを出力する装置に対して発するようになっている。この信号により、上記コンピュータ等が、印字位置、走査範囲、あるいは走査方向を規定することができる。そして、コンピュータ等からの画像データの出力に応じて選択されたノズルからインク滴が吐出されて印字され、記録材に画像が形成される。
【００２５】
上記キャリッジ１は、２つのプーリ５・５間に張られているベルト６に接続されている。片方のプーリ５は駆動モータ７と接続され、回転駆動されるようになっており、ベルト６を介してキャリッジ１を走査方向に移動させるようになっている。駆動モータ７は、キャリッジ１の走査方向を制御する上記信号に基づいて正逆の両方向に回転される。これによってキャリッジ１は走査方向を双方向に往復するようにスライド自在に移動される。
【００２６】
また、上記インクジェットプリンタには、インクヘッド部４を有するキャリッジ１に対して、一定の間隔を隔てて各インクヘッド（Ｋ、Ｃ、Ｍ、Ｙ、Ｋ）に配置されているノズルと対面するようにプラテン８が設置されている。上記プラテン８には、用紙カートリッジ９から供給される紙、フィルム等の記録材が、搬送ローラ１０によって搬送されて、載置されるようになっている。また、載置された記録材は、各インクヘッドに配置されているノズルと対面するようになっており、印字されるタイミングに従って、搬送ローラ１０によって搬送され、キャリッジ１とプラテン８の間を通過する（記録材を送り出す）ようになっている。そして、キャリッジ１のインクヘッド部４に配置されている各インクヘッドのノズルからインク滴が吐出され、プラテン８を通過する記録材に印字するようになっている。
【００２７】
ここで、キャリッジ１において、図２に示すように黒のインクヘッド（Ｋ）、マゼンタのインクヘッド（Ｍ）、シアンのインクヘッド（Ｃ）、イエローのインクヘッド（Ｙ）、黒のインクヘッド（Ｋ）の配置を有するインクヘッド部４を用いて、記録材に印字して黒の画像を形成する場合の一例について説明する。ここで、印字の際には、乾燥性、浸透性に劣る黒インクと、乾燥性、浸透性に優れるカラーインクとを重ねて印字することによって、黒インクの乾燥性、浸透性を向上させている。
【００２８】
上記キャリッジ１を、黒のインクヘッド（Ｋ）、イエローのインクヘッド（Ｙ）の順で配置している側を先頭にした方向（以下方向▲１▼と記す）に走査して印字するときには、黒インクを印字した後、イエローインク、マゼンタインク、シアンインクの混色を印字し、そして再び黒インクを印字して、黒の画像を形成することになる。また、逆に黒のインクヘッド（Ｋ）、シアンのインクヘッド（Ｃ）を配置している側を先頭にした方向（以下方向▲２▼と記す）に走査して印字するときには、黒インクを印字した後、シアンインク、マゼンタインク、イエローインクの混色を印字し、そして再び黒のインクを印字して、黒の画像を形成することになる。
【００２９】
ここで、キャリッジ１を、方向▲１▼に走査して印字したときのインクが記録材へ浸透した状態を図３に示す。また、方向▲２▼に走査して印字したときのインクが記録材へ浸透した状態を図４に示す。これら図から明らかなように、キャリッジ１の走査方向によってインクの重なり方には違いがあるものの、実質的な記録材の表面における黒インク（図面では斜線を施してある）とカラーインクの混色（ＣＭＹ混色）との重なり度合い（割合）は、走査方向に関係なく、同じである。
【００３０】
図３に示したインクが浸透した状態における、記録材の表面の状態を上から見た図を図５に示す。また、図４に示したインクが浸透した状態における、記録材の表面の状態を上から見た図を図６に示す。これらの図を比較してわかるように、走査する方向により黒インクの上にカラーインクの混色が重なって印字される部分の位置は異なるが、これらの重なった部分はそれぞれ同じ面積である。また、黒インクの記録材の表面において露出している面積も同じである。よって、全体としての、黒インクとカラーインクとが重なって印字される部分における「黒さ」の差をなくすことができる。
【００３１】
従って、上記のように、本実施の形態のインクヘッド部４の配置を用いた場合、キャリッジ１を双方向に走査して印字することができるため、印字時間を短縮することができ、かつ、形成された画像において「黒さ」の差を生じることなく、高品質の黒の画像を形成することができる。
【００３２】
また、図７に示すように、インクヘッド部４において、黒のインクヘッド（Ｋ）を、キャリッジ１の走査方向に対して垂直方向（記録材を送り出す方向）に、カラーのインクヘッド（Ｃ、Ｍ、Ｙ）に対してノズルのピッチの１／４分ずつ互いに逆方向にずらして配置してもよい。上記配置のインクヘッド部４を用いて、黒の画像を形成すると、図８および図９に示すように、ノズルをずらしていない場合と比べて、黒インクがカラーインクの上に重なる部分およびカラーインクが黒インクの上に重なる部分は異なる。しかしながら、黒インクが記録材の表面において露出している面積、および黒インクの上にカラーインクが重なって印字される部分の面積は、キャリッジ１の走査方向に関係なく同じになる。従って、黒のインクヘッド（Ｋ）をずらしていないときと同様に、「黒さ」の差を生じることなく、高品質の黒の画像を形成することができる。しかも、２つの黒のインクヘッド（Ｋ）は、ノズルのピッチの１／２分だけキャリッジ１の走査方向に対して垂直方向に、互いにずらされて配置されていることになるので、各走査において、走査方向に対して垂直方向（記録材を送り出す方向）に関して、いわゆるノズルピッチの２倍の解像度の黒の画像を形成することができる。
【００３３】
一例として図１０に示すように、形成された画像において、黒インクのドットがカラーインクに対してノズルのピッチの１／２分だけずらされて印字されるので、記録材を送り出す方向に関して、ずらされていないカラーインクと比べて、２倍の解像度を有していることがわかる。つまり、１つのインクヘッドのノズルピッチが６００ｄｐｉであれば、１２００ｄｐｉの解像度の黒の画像を得ることができる。
【００３４】
上記のインクジェットプリンタの構成によれば、キャリッジ１の走査方向を双方向にして印字しても、印字するインクの順番を黒インク、カラーインク、黒インクと一定にすることができる。その結果、走査毎の黒インクが記録材表面において露出している面積、および黒インクとカラーインクとが重なって印字される部分の面積が走査方向に関係なく同じとなり、印字の「黒さ」の差をなくすことができる。また、インクヘッドの数は、片方向にしか走査して印字できない従来のインクジェットプリンタと比べて、上記の構成では、高々１つ増加するだけである。そのため、コスト増は小さく、広い範囲のインクジェットプリンタに応用することができる。つまり、コストをかけることなく、双方向に印字して印字時間を短縮することができ、高品質の画像を形成することができる。
【００３５】
また、上記のインクジェットプリンタの構成によれば、各走査において、記録材に、黒インクを、カラーインクに対して、走査方向に対する垂直方向に、互いにずらして印字することができる。そのため、記録材に形成された黒の画像における解像度を向上することができる。従って、高品質でより高解像度の画像を形成することができる。また、上記のインクジェットプリンタの構成によれば、各走査において、記録材に、黒インクを、カラーインクに対して、走査方向に対する垂直方向に、いわゆるノズルピッチの２倍の黒インクを印字することができる。そのため、いわゆるノズルピッチの２倍の解像度の黒の画像を記録材に形成することができる。
【００３６】
ここで、比較のために、図１１に示すような従来の、黒のインクヘッド（Ｋ）、シアンのインクヘッド（Ｃ）、マゼンタのインクヘッド（Ｍ）、イエローのインクヘッド（Ｙ）の配置を有する、走査方向に対する一方の端部のみが黒のインクヘッド（Ｋ）であるインクヘッド部の配置を用いて、記録材に印字して黒の画像を形成する場合の一例について説明する。ここで、印字の際には、乾燥性、浸透性に劣る黒インクと、乾燥性、浸透性に優れるカラーインクとを重ねて印字することによって、記録材に対する黒インクの乾燥性、浸透性を向上させている。
【００３７】
キャリッジを、上記従来のインクヘッド部の配置において、イエローのインクヘッド（Ｙ）を先頭にした方向に走査して印字するときには、イエローインク、マゼンタインク、シアンインクの混色を印字した後、黒インクを印字することになる。また、キャリッジを黒のインクヘッド（Ｋ）を先頭にした方向に走査したときには、黒インクを印字した後、シアンインク、マゼンタインク、イエローインクの混色を印字することになる。
【００３８】
キャリッジを、インクヘッド部において、イエローのインクヘッド（Ｙ）を先頭にした方向に走査して印字したときのインクが記録材へ浸透した状態を図１３に示す。このとき、カラーインクの混色（ＣＭＹ混色）を印字した後に黒インク（図面では斜線を施してある）を印字するため、黒インクがカラーインクの混色の上に重なっていることがわかる。また、キャリッジを黒インクのインクヘッド（Ｋ）を先頭にした方向に走査して印字したときのインクが記録材へ浸透した状態を図１４に示す。このとき、図１３に示したイエローのインクヘッド（Ｙ）を先頭にした方向に走査して印字したときとは逆に、黒インクを印字した後にカラーインクの混色を印字するため、カラーインクの混色が黒インクの上に重なっていることがわかる。
【００３９】
図１３に示したインクが浸透した状態における、記録材の表面の状態を上から見た図を図１５に示す。また、図１４に示したインクが浸透した状態における、記録材の表面の状態を上から見た図を図１６に示す。図１５に示すように、キャリッジをイエローのインクヘッド（Ｙ）を先頭にした方向に走査して印字したときでは、カラーインクの混色を印字した後に黒インクを印字するため、記録材の表面において露出している黒インクの面積が大きく、黒インクの上にカラーインクが重なる部分はない。それに対して、図１６に示すように、キャリッジを黒のインクヘッド（Ｋ）を先頭にした方向に走査して印字したときでは、黒インクを印字した後にカラーインクの混色を印字するため、黒インクの上にカラーインクの混色が重なることになり、記録材の表面において黒インクが露出している面積が小さくなってしまうことがわかる。
【００４０】
上記のように、黒の画像を形成する際、従来のインクヘッド部の配置を用いると、キャリッジを走査する方向によって、黒インクの記録材の表面において露出している面積に大きな差が出てしまう。また、黒インクの上にカラーインクが重なる部分の面積にも大きな差がでてしまう。このため、キャリッジの走査方向を双方向に印字して形成された画像は、見た目の黒の発色「黒さ」に差が生じてしまい、品質の悪いものとなってしまう。
【００４１】
【発明の効果】
以上のように、本発明のインクジェット方式の画像形成装置は、インクヘッド部は黒のインクヘッドとカラーのインクヘッドとを備え、走査方向における両端部に黒のインクヘッドがが配置されており、さらに、上記両端部の黒のインクヘッドはカラーのインクヘッドに対して、走査方向に対する垂直方向に、互いに逆方向にずれた位置に配置されている構成である。
【００４２】
上記の構成によれば、コストをかけることなく、双方向に印字して印字時間を短縮することができ、高品質の画像を形成することができる画像形成装置を提供することができるという効果を奏する。
【００４３】
また、高品位でより高解像度の画像を形成することができる画像形成装置を提供することができるという効果を奏する。
【００４４】
本発明のインクジェット方式の画像形成装置は、上記構成に加えて、両端部の黒のインクヘッドが、互いにノズルのピッチの１／２分だけずれた位置に配置されている構成である。
【００４５】
上記の構成によれば、いわゆるノズルピッチの２倍の解像度の黒の画像を記録材に形成することができる画像形成装置を提供することができるという効果を奏する。
【００４６】
本発明のインクジェット方式の画像形成方法は、以上のように、インクヘッド部に黒のインクヘッドとカラーのインクヘッドとを備えると共に、走査方向における両端部に黒のインクヘッドを配置し、該インクヘッド部を用いて、黒インク、カラーインク、黒インクの順番で、且つ、上記２つの黒インクをカラーインクに対して、走査方向に対する垂直方向に、互いに逆方向にずらした位置に印字する構成である。
【００４７】
上記の構成によれば、双方向に印字して印字時間を短縮することができ、かつ、高品質の画像を形成することができるという効果を奏する。
【００４８】
また、記録材に形成された黒の画像における解像度を向上することができるという効果を奏する。
【００４９】
本発明のインクジェット方式の画像形成方法は、上記構成に加えて、上記２つの黒インクを、互いにノズルのピッチの１／２分だけずらした位置に印字する構成である。
【００５０】
上記の構成によれば、いわゆるノズルピッチの２倍の解像度の黒の画像を記録材に形成することができるという効果を奏する。
【図面の簡単な説明】
【図１】本発明にかかるインクジェット方式の画像形成装置の一実施の形態としてのインクジェットプリンタを示す斜視図である。
【図２】上記インクジェットプリンタのインクヘッド部におけるインクヘッドの配置を示す概略平面図である。
【図３】図２に示すインクヘッドの配置のインクヘッド部を有するキャリッジを、黒のインクヘッド、イエローのインクヘッドを配置している側を先頭にした方向に走査して印字した場合の、記録材へのインクの浸透状態を示す記録材の断面図である。
【図４】図２に示すインクヘッドの配置のインクヘッド部を有するキャリッジを、黒のインクヘッド、シアンのインクヘッドを配置している側を先頭にした方向に走査して印字した場合の、記録材へのインクの浸透状態を示す記録材の断面図である。
【図５】図２に示すインクヘッドの配置のインクヘッド部を有するキャリッジを、黒のインクヘッド、イエローのインクヘッドを配置している側を先頭にした方向に走査して印字した場合の、記録材表面におけるインクの状態を示す平面図である。
【図６】図２に示すインクヘッドの配置のインクヘッド部を有するキャリッジを、黒のインクヘッド、シアンのインクヘッドを配置している側を先頭にした方向に走査して印字した場合の、記録材表面におけるインクの状態を示す平面図である。
【図７】本発明の他の実施の形態のインクヘッド部におけるインクヘッドの配置を示す概略平面図である。
【図８】図７に示すインクヘッドの配置のインクヘッド部を有するキャリッジを、黒のインクヘッド、イエローのインクヘッドを配置している側を先頭にした方向に走査して印字した場合の、記録材表面におけるインクの状態を示す平面図である。
【図９】図７に示すインクヘッドの配置のインクヘッド部を有するキャリッジを、黒のインクヘッド、シアンのインクヘッドを配置している側を先頭にした方向に走査して印字した場合の、記録材表面におけるインクの状態を示す平面図である。
【図１０】図７に示すインクヘッドの配置のインクヘッド部を有するキャリッジを用いて黒印字した画像の平面図である。
【図１１】キャリッジにおける従来のインクヘッドの配置のインクヘッド部を示す概略平面図である。
【図１２】キャリッジにおける従来のインクヘッドの他の配置のインクヘッド部を示す概略平面図である。
【図１３】図１１に示すインクヘッドの配置のインクヘッド部を有するキャリッジを、イエローのインクヘッドを先頭にした方向に走査して印字した場合の、記録材へのインクの浸透状態を示す記録材の断面図である。
【図１４】図１１に示すインクヘッドの配置のインクヘッド部を有するキャリッジを、黒のインクヘッドを先頭にした方向に走査して印字した場合の、記録材へのインクの浸透状態を示す記録材の断面図である。
【図１５】図１１に示すインクヘッドの配置のインクヘッド部を有するキャリッジを、イエローのインクヘッドを先頭にした方向に走査して印字した場合の、記録材表面におけるインクの状態を示す平面図である。
【図１６】図１１に示すインクヘッドの配置のインクヘッド部を有するキャリッジを、黒のインクヘッドを先頭にした方向に走査して印字した場合の、記録材表面におけるインクの状態を示す平面図である。
【図１７】キャリッジにおける従来のインクヘッドのさらに他の配置のインクヘッド部を示す概略平面図である。
【符号の説明】
１    キャリッジ
２    シャフト
３    ガイドレール
４    インクヘッド部
５    プーリ
６    ベルト
７    駆動モータ
８    プラテン
９    用紙カートリッジ
１０  搬送ローラ
【図１】
0003545325.tif 000002
【図２】
0003545325.tif 000003
【図３】
0003545325.tif 000004
【図４】
0003545325.tif 000005
【図５】
0003545325.tif 000006
【図６】
0003545325.tif 000007
【図７】
0003545325.tif 000008
【図８】
0003545325.tif 000009
【図９】
0003545325.tif 000010
【図１０】
0003545325.tif 000011
【図１１】
0003545325.tif 000012
【図１２】
0003545325.tif 000013
【図１３】
0003545325.tif 000014
【図１４】
0003545325.tif 000015
【図１５】
0003545325.tif 000016
【図１６】
0003545325.tif 000017
【図１７】
0003545325.tif 000018